(57)【特許請求の範囲】
【請求項１】
入力されたカラーの描画データをラスターイメージ生成手段によりインクドットの集合体からなる印刷データに変換して出力し、出力された前記印刷データに基づいてインクジェットプリンタがインクを印刷媒体に吐着させて単色または複数色のインクの混色によりカラー印刷を行うインクジェットプリンタ用の描画データ処理方法であって、
特定の印刷媒体にカラー印刷により表現された色彩がコード番号によって定義されるとともに当該色彩を特定の複数のインクの混色によって再生する場合の混色比率が既定された色情報について、前記コード番号と前記既定の混色比率とが対応付けて記憶された規定比率記憶手段から、前記描画データにおいて前記コード番号により特定された色彩の前記既定の混色比率を読み出し、
前記コード番号によって特定される色彩を前記インクジェットプリンタで用いる複数のインクの混色によって表現可能な色彩に近似させた近似色の混色比率が各前記コード番号に対応づけて設定記憶された置換比率記憶手段から、前記描画データにおいて前記コード番号により特定された色彩の前記近似色の混色比率を読み出し、
前記既定の混色比率を前記近似色の混色比率に置き換えて、
混色比率を置換した前記印刷データが出力されるように構成したことを特徴とするインクジェットプリンタ用の描画データ処理方法。
【請求項２】
入力されたカラーの描画データをラスターイメージ生成手段によりインクドットの集合体からなる印刷データに変換して出力し、出力された前記印刷データに基づいてインクジェットプリンタがインクを印刷媒体に吐着させて単色または複数色のインクの混色によりカラー印刷を行うインクジェットプリンタ用の描画データ処理プログラムであって、
特定の印刷媒体にカラー印刷により表現された色彩がコード番号によって定義されるとともに当該色彩を特定の複数のインクの混色によって再生する場合の混色比率が既定された色情報について、前記コード番号と既定の混色比率とが対応づけて記憶された規定比率記憶手段から、前記描画データにおいて前記コード番号により特定された色彩の前記既定の混色比率を読み出すステップと、
前記コード番号によって特定される色彩を前記インクジェットプリンタで用いる複数のインクの混色によって表現可能な色彩に近似させた近似色の混色比率が各前記コード番号に対応づけて設定記憶された置換比率記憶手段から、前記描画データにおいて前記コード番号により特定された色彩の前記近似色の混色比率を読み出すステップと、
前記既定の混色比率を前記近似色の混色比率に置き換えるステップと、
混色比率を置換した前記印刷データを出力するステップとを備え、
前記ステップを順次実行する演算処理装置が、前記描画データにおいて前記コード番号により特定された色彩について、前記既定の混色比率を前記近似色の混色比率に置き換えて前記印刷データを出力するように構成したことを特徴とするインクジェットプリンタ用の描画データ処理プログラム。
【請求項３】
前記描画データにおいて前記コード番号により特定された色彩と、前記コード番号により特定された色彩を前記規定比率記憶手段に記憶された既定の混色比率のままカラー印刷した場合に前記印刷媒体に表現される色彩と、前記コード番号により特定された色彩を前記置換比率記憶手段に設定記憶された前記近似色の混色比率に置き換えてカラー印刷した場合に前記印刷媒体に表現される色彩とを対比させて、カラーの画像を表示可能な画像表示装置に表示させるステップを設けたことを特徴とする請求項２に記載のインクジェットプリンタ用の描画データ処理プログラム。
【請求項４】
前記コード番号により特定された色彩の前記既定の混色比率と前記近似色の混色比率とを、前記画像表示装置に表示させるステップを設けたことを特徴とする請求項３に記載のインクジェットプリンタ用の描画データ処理プログラム。
【請求項５】
入力されたカラーの描画データをラスターイメージ生成手段によりインクドットの集合体からなる印刷データに変換して出力し、出力された前記印刷データに基づいてインクジェットプリンタがインクを印刷媒体に吐着させて単色または複数色のインクの混色によりカラー印刷を行うインクジェットプリンタ用の描画データ処理装置であって、
特定の印刷媒体にカラー印刷により表現された色彩がコード番号によって定義されるとともに当該色彩を特定の複数のインクの混色によって再生する場合の混色比率が既定された色情報について、前記コード番号と前記既定の混色比率とが対応付けて記憶された規定比率記憶手段と、
前記コード番号によって特定される色彩を前記インクジェットプリンタで用いる複数のインクの混色によって表現可能な色彩に近似させた近似色の混色比率が各前記コード番号に対応づけて設定記憶された置換比率記憶手段とを備え、
前記描画データにおいて前記コード番号により特定された色彩について、前記既定の混色比率を前記近似色の混色比率に置き換えて、混色比率を置換した前記印刷データを出力可能に構成したことを特徴とするインクジェットプリンタ用の描画データ処理装置。
【発明の詳細な説明】
【技術分野】
【０００１】
本発明は、入力されたカラーの描画データをインクドットの集合体からなる印刷データに変換してインクジェットプリンタに出力し、印刷媒体に吐着する複数色のインクの混色によりカラー印刷を行わせるインクジェットプリンタ用の描画データ処理方法、描画データ処理プログラム、及び描画データ処理装置に関する。
【背景技術】
【０００２】
カラーのインクジェットプリンタは、基本的には、シアン(Ｃ)・マゼンタ(Ｍ)・イエロー(Ｙ)の３原色にブラック(Ｋ)を加えた４つの基本色のインクを用い、プリンタヘッドを印刷媒体に対して相対移動させながらノズルから各色のインク微粒子を吐出して印刷媒体に吐着させ、ブラック及び他の複数色のインクの混色によりカラーの文字や図形、模様、写真等をメディアと称される印刷媒体上に描画形成する。
【０００３】
大判広告やのぼり等の商業用の印物を製作する制作現場では、描画ソフトウェアを用いてカラーの描画データが作成され、この描画データに基づいてプリント会社に印刷物の製作が依頼される。プリント会社では、受け取った描画データをラスター・イメージ・プロセッサ(Raster Image Processor)によってインクドットの集合体からなる印刷データに変換し、この印刷データをインクジェットプリンタに読み込ませてカラー印刷を行う。この場合において、描画データでは各部の色に関して、画像データのＲＧＢ比率で指定される場合のほか（例えば、特許文献１，特許文献２を参照）、インクメーカや色見本の会社等が発行する色見本帳に規定されたコード番号（カラーナンバー、色番号、色票番号などと称される）で特定されることも多い。色見本帳では、アート紙などの特定の印刷媒体にカラー印刷により表現した色彩を、文字や数字、記号等の結合からなるコード番号によって定義するとともに、その色彩を、印刷において基本となる上記４色のインク（Ｃ,Ｍ,Ｙ,Ｋ：これらをプロセスカラーという）によって再生する場合の混色比率が表示されており、表示された混色比率通りインクを配合すれば、基本的には、そのコード番号で定義された色彩が再現されるようになっている。
【０００４】
【特許文献１】特開２００６−２４７９２５号公報
【特許文献２】特開２００６−３３４９６８号公報
【発明の開示】
【発明が解決しようとする課題】
【０００５】
しかしながら、色見本帳に示された色彩は、そのインクメーカ等が指定する４色のインク（Ｃ,Ｍ,Ｙ,Ｋ）を用い、かつ色見本帳と同じ紙質の印刷媒体に印刷した場合において再現可能な色であり、現実的には、インクの組成や印刷媒体の特性等に起因して、色見本帳に既定された通りの混色比率でインクを吐着させても、色見本帳の色彩と目視上異なる色彩で表現されることが少なからず発生する。すなわち、色見本帳にコード番号で定義された色情報は、使用するインクや印刷媒体等のデバイスによって表現される色彩が変化する「デバイス依存性のある色情報」である。さらに、印刷において基本となる上記４色のプロセスカラー（Ｃ,Ｍ,Ｙ,Ｋ）では、カラースペースの制限から正確に再現することが困難な「特色」と称される色彩が存在するが、描画データにおいて特色で指定される場合も生ずる。
【０００６】
このように、コード番号によって描画データ各部の色彩が指定された場合や特色を指定された場合、プリント会社では、色見本帳に示された色彩を再現するため、４色のインク（Ｃ,Ｍ,Ｙ,Ｋ）の混色比率を色見本帳に既定された混色比率から少しずつ変更しながらテストプリントを繰り返し、またライトシアン（Ｌｃ）やライトマゼンタ（Ｌｍ）を使用可能なインクジェットプリンタの場合にはこれらを含めて混色比率を調整しながら、視覚的に色見本帳の色彩に近い近似色の混色比率を探し出す作業が必要であった。この色合わせの作業は経験とカンが求められ、測色機等の技術手段を用いても、印刷データを近似色の混色比率に置き換える色置換に多くの時間と労力を要するという課題があった。
【０００７】
本発明は、上記課題に鑑みてなされたものであり、色見本帳のコード番号により特定された色彩を、そのインクジェットプリンタで表現可能な色彩に近似させて、作業負担を軽減可能な手段を提供することを目的とする。
【課題を解決するための手段】
【０００８】
上記目的を達成するため、第１の本発明は、入力されたカラーの描画データをラスターイメージ生成手段（例えば、実施形態におけるＲＩＰ部２０）によりインクドットの集合体からなる印刷データに変換して出力し、出力された印刷データに基づいてインクジェットプリンタがインクを印刷媒体に吐着させて単色または複数色のインクの混色によりカラー印刷を行うインクジェットプリンタ用の描画データ処理方法である。そのうえで、この描画データ処理方法では、特定の印刷媒体にカラー印刷により表現された色彩がコード番号によって定義されるとともに当該色彩を特定の複数のインクの混色によって再生する場合の混色比率が既定された色情報（例えば、色見本帳により規定される色情報）についてコード番号と既定の混色比率とが対応付けて記憶された規定比率記憶手段（例えば、実施形態における、ＲＩＰ部２０のメモリー内に記憶された色テーブル２１等）から、描画データにおいてコード番号により特定された色彩の既定の混色比率を読み出し、コード番号によって特定される色彩をインクジェットプリンタで用いる複数のインクの混色によって表現可能な色彩に近似させた近似色の混色比率がコード番号に対応づけて設定記憶された置換比率記憶手段（例えば、実施形態における、ＲＩＰ部２０のメモリー内に記憶された色置換テーブル２５）から、描画データにおいてコード番号により特定された色彩の近似色の混色比率を読み出し、既定の混色比率を近似色の混色比率に置き換えて、混色比率を置換した印刷データが出力されるように構成する。
【０００９】
上記目的を達成するため、第２の本発明は、入力されたカラーの描画データをラスターイメージ生成手段（例えば、実施形態におけるＲＩＰ部２０）によりインクドットの集合体からなる印刷データに変換して出力し、出力された印刷データに基づいてインクジェットプリンタがインクを印刷媒体に吐着させて単色または複数色のインクの混色によりカラー印刷を行うインクジェットプリンタ用の描画データ処理プログラムである。そのうえで、この描画データ処理プログラムでは、特定の印刷媒体にカラー印刷により表現された色彩がコード番号によって定義されるとともに当該色彩を特定の複数のインクの混色によって再生する場合の混色比率が既定された色情報（例えば、色見本帳により規定される色情報）についてコード番号と既定の混色比率とが対応付けて記憶された規定比率記憶手段（例えば、実施形態における、ＲＩＰ部２０のメモリー内に記憶された色テーブル２１等）から、描画データにおいてコード番号により特定された色彩の既定の混色比率を読み出すステップと、コード番号によって特定される色彩をインクジェットプリンタで用いる複数のインクの混色によって表現可能な色彩に近似させた近似色の混色比率が各コード番号に対応づけて設定記憶された置換比率記憶手段（例えば、実施形態における、ＲＩＰ部２０のメモリー内に記憶された色置換テーブル２５）から、描画データにおいてコード番号により特定された色彩の近似色の混色比率を読み出すステップと、既定の混色比率を近似色の混色比率に置き換えるステップと、混色比率を置換した印刷データを出力するステップとを備え、前記ステップを順次実行する演算処理装置（例えば、実施形態におけるＣＰＵ２８）が、描画データにおいてコード番号により特定された色彩について、既定の混色比率を近似色の混色比率に置き換えて印刷データを出力するように構成する。
【００１０】
第２の本発明において、描画データにおいてコード番号により特定された色彩と、コード番号により特定された色彩を規定比率記憶手段に記憶された既定の混色比率のままカラー印刷した場合に印刷媒体に表現される色彩と、コード番号により特定された色彩を置換比率記憶手段に設定記憶された近似色の混色比率に置き換えてカラー印刷した場合に印刷媒体に表現される色彩とを対比させて、カラーの画像を表示可能な画像表示装置に表示させるステップを設けて描画データ処理プログラムを構成する。
【００１１】
また、コード番号により特定された色彩の既定の混色比率と近似色の混色比率とを、画像表示装置に表示させるステップを設けて描画データ処理プログラムを構成する。
【００１２】
上記目的を達成するため、第３の本発明は、入力されたカラーの描画データをラスターイメージ生成手段（例えば、実施形態におけるＲＩＰ部２０）によりインクドットの集合体からなる印刷データに変換して出力し、出力された印刷データに基づいてインクジェットプリンタがインクを印刷媒体に吐着させて単色または複数色のインクの混色によりカラー印刷を行うインクジェットプリンタ用の描画データ処理装置である。そのうえで、この描画データ処理装置では、特定の印刷媒体にカラー印刷により表現された色彩がコード番号によって定義されるとともに当該色彩を特定の複数のインクの混色によって再生する場合の混色比率が既定された色情報（例えば、色見本帳により規定される色情報）について、コード番号と既定の混色比率とが対応付けて記憶された規定比率記憶手段（例えば、実施形態における、ＲＩＰ部２０のメモリー内に記憶された色テーブル２１等）と、コード番号によって特定される色彩をインクジェットプリンタで用いる複数のインクの混色によって表現可能な色彩に近似させた近似色の混色比率が各前記コード番号に対応づけて設定記憶された置換比率記憶手段（例えば、実施形態における、ＲＩＰ部２０のメモリー内に記憶された色置換テーブル２５）とを備え、描画データにおいてコード番号により特定された色彩について、規定比率記憶手段に記憶された既定の混色比率を置換比率記憶手段に設定記憶された近似色の混色比率に置き換えて、混色比率を置換した印刷データを出力可能に構成する。
【発明の効果】
【００１３】
本発明に係るインクジェットプリンタ用の描画データ処理方法においては、描画データにおいてコード番号により特定された色彩の既定の混色比率が規定比率記憶手段から読みだされ、描画データにおいてコード番号により特定された色彩の近似色の混色比率が置換比率記憶手段から読み出され、既定の混色比率を近似色の混色比率に置き換えて、混色比率を置換した印刷データが出力されるように構成される。このような描画データ処理方法によれば、コード番号によって定義される色彩に近似するように、既定の混色比率がインクジェットプリンタで表現可能な近似色の混色比率に置き換えられる。すなわち、色彩の特定段階及び印刷段階においてともにデバイス依存性のある色彩表現上の誤差を補正して、色見本帳に表わされた色彩に目視上近似した近似色で印刷されるように、インクの混色比率が変更される。このため、例えば色見本帳に既定された４色の混色比率（ＣＭＹＫ値）で印刷すると色彩が異なるような場合に、既定の混色比率が近似色の混色比率に置き換えられ、描画データに近い色彩を再現した製品をカラー印刷することができる。
【００１４】
本発明に係るインクジェットプリンタ用の描画データ処理プログラムがインストールされたコンピュータ、及び本発明に係るインクジェットプリンタ用の描画データ処理装置においては、コード番号により特定される色彩に対応して、そのインクジェットプリンタで用いる複数のインクの混色によって表現可能な近似色の混色比率が設定記憶された置換比率記憶手段が備えられており、描画データにおいてコード番号により特定された色彩について、規定比率記憶手段に記憶された既定の混色比率を置換比率記憶手段に設定記憶された近似色の混色比率に置き換えて、色置換後の印刷データを出力可能に構成される。このような描画データ処理装置によれば、コード番号により定義される色彩に近似するように、既定の混色比率をインクジェットプリンタで表現可能な近似色の混色比率に簡単に置き換えることができる。すなわち、置換比率記憶手段を利用した混色比率の置換は、色彩の特定段階及び印刷段階においてデバイスに起因して生じる色彩表現上の誤差を補正し、インクジェットプリンタにおいて印刷される色彩が、コード番号によって特定される本来の色彩に近似するように構成される。このため、例えば、色見本帳に既定された４色の混色比率（ＣＭＹＫ値）で印刷すると目視上色彩が異なるような場合に、置換比率記憶手段を利用して簡単に近似色の混色比率に置き換えることができ、描画データに近い色彩を再現した製品をカラー印刷することができる。
【００１５】
また、描画データにおいてコード番号により特定された色彩と、コード番号により特定された色彩を既定比率記憶手段に記憶された既定の混色比率でカラー印刷した場合に印刷媒体に表現される色彩と、コード番号により特定された色彩を置換比率記憶手段に記憶された近似色の混色比率に置き換えてカラー印刷した場合に印刷媒体に表現される色彩とが、カラーの画像表示装置に表示されるような構成によれば、カラー印刷において本来的に表現されるべき色彩と、これを色見本帳に既定された混色比率でそのまま印刷した場合の色彩、置換比率記憶手段を利用して混色比率を置き換えた場合の近似色の色彩を、事前に視覚的に確認することができる。また、コード番号により特定された既定の混色比率と近似色の混色比率とが併せて表示されるような構成によれば、既定の混色比率と近似色の混色比率との差異が明確になるとともに、さらに微調整を行う際の目安を提供することができる。
【００１６】
従って、本発明に係るインクジェットプリンタ用の描画データ処理装置、及びインクジェットプリンタ用の描画データ処理方法によれば、コード番号により特定された色彩を、そのインクジェットプリンタで表現可能な範囲で近似色に置き換えて、作業負担を軽減することができる。
【発明を実施するための最良の形態】
【００１７】
以下、本発明の好ましい実施形態について図面を参照しながら説明する。本発明の実施形態に係るインクジェットプリンタ用の描画データ処理装置１の概要構成を図１にブロック図として示す。本実施形態において、描画データ処理装置１の主要部分はコンピュータによって構成され、描画データ処理プログラムがコンピュータにインストールされＣＰＵが描画データ処理プログラムを順次実行することにより、描画データをインクジェットプリンタに好適な近似色に置換して印刷データを出力する描画データ処理装置が構成される。このようにして構成される描画データ処理装置１は、描画データ処理プログラムにより構築される大別的なブロック構成として、描画データＤDが入力される入力部１０、入力された描画データＤDを印刷データＤPに変換するＲＩＰ部２０、印刷データＤPを出力する出力部４０などからなり、描画データの読み込みや色置換等の操作を対話形式で行うためカラーの画像表示装置３０が利用される。なお、以降説明する各ステップの具体的な処理は、コンピュータのハードウェア資源であるＣＰＵ２８により実行される。
【００１８】
入力部１０は、描画データＤDを印刷データＤPに変換する際に必要な情報を受容する窓口であり、実行する機能の選択や描画データなどが対話形式で入力される。入力部１０に情報を入力するコンポーネントとして、ＣＤ−ＲＯＭやＤＶＤ、フレキシブルディスク、ＵＳＢメモリ等の情報伝達媒体に書き込まれた情報を読み取り可能な読み取り装置、インターネットや電話回線等の電気通信回線を介して送信されてくる情報を受信可能な受信装置、オペレータが情報を入力しあるいは選択操作するキーボード、マウスなどを用いることができる。
【００１９】
インクジェットプリンタは、使用するインクの種別や色数などが機種によって異なり、産業用のインクジェットプリンタにあっては、複数種別のインクや色数を任意に選択設定可能に構成されるものがある。インクの種別については、染料系、顔料系、昇華系、ＵＶ硬化系など発色特性が異なる複数種別のインクがあり、色数については、プロセスカラーの基本４色（Ｃ，Ｍ，Ｙ，Ｋ）の設定のほか、これにライトシアン（Ｌｃ）ライトマゼンタ（Ｌｍ）等を加えた６色設定、さらにブルーやオレンジ等の特色インクを用いた８色設定、など相違がある。描画データ処理装置１では、これらのインクジェットプリンタに関する基本情報が、初期設定画面として画像表示装置３０に表示され、マウスやキーボード等により選択されて入力部１０に入力される。
【００２０】
一方、デザイナーが描画ソフトウェアを用いて制作・編集した描画データＤDは、例えば、インターネットのメール配信機能を利用してプリント会社に送信され、受信装置を介して入力部１０に入力される。入力部１０に入力された描画データＤDは、ＲＡＭ内の描画データ保持メモリー１５に一時記憶される。
【００２１】
ＲＩＰ部２０は、入力部１０に入力された描画データＤDを、印刷加工を実施するインクジェットプリンタＰに合わせたインクドットの集合体からなるビットマップ形式の印刷データＤPに変換する。図２に、描画データＤDを印刷データＤPに変換する描画データ処理プログラムＰＧの概要フローチャートを示す。描画データＤDには、例えば、文字や図形等の形状に関する情報と、その各領域の色彩に関する情報とが含まれている。
【００２２】
ここで、色彩を定義する手段には、ＲＧＢ、ＣＭＹＫ、Ｌａｂ、ＸＹＺ(Ｙｘｙ)など種々の表色系がある。商業用の大判の広告や横断幕、のぼり等を製作する印刷業界では、色見本帳に表現された色彩を基準とし、その色彩を定義するコード番号によって各部の色彩が特定されることがある。例えば、図１に示すように、描画される図形等のある領域の色彩について、Ａ社発行の色見本帳におけるコード番号Ｃ−００１ｐのように特定される。ＲＩＰ部２０は、入力部１０から入力された描画データＤDについて、ステップＳ１０において各部の色彩情報を読み出し、ステップＳ２０においてコード番号で特定されている色彩を抽出して取得する。なお、コード番号によらず、ＲＧＢ値、ＣＭＹＫ値などにより色彩が特定されている部分については、従来のラスター・イメージ・プロセッサと同様のプロファイル処理が行われる。
【００２３】
ＲＩＰ部２０には、主要な色見本帳の情報が色テーブルとして予め設定記憶されており、例えば、図１に示すように、Ａ社の色見本帳に対応した色テーブル２１、Ｂ社の色見本帳に対応した色テーブル２２、Ｃ社の色見本帳に対応した色テーブル２３…が設けられている。
【００２４】
各色テーブル２１，２２，２３…には、コード番号と、各コード番号の色彩をＣ（シアン），Ｍ（マゼンタ），Ｙ（イエロー），Ｋ（ブラック）の４色のインクの混色で再生する場合の混色比率として色見本帳に既定された混色比率（既定のＣＭＹＫ値）、及び当該コード番号の色見本帳における色彩を画像表示装置３０に表示させるためのカラーデータが、各コード番号に対応づけて記憶されている。具体的には、色テーブルは、色見本帳において特定される色彩を、コード番号、既定の混色比率、色見本帳に表示された色彩について、コンピュータのＲＯＭ内に対応づけて体系的に記憶させたデータセットとして形成されている。
【００２５】
ＣＰＵ２８は、ステップＳ２０において描画データＤDから抽出したコード番号について、ステップＳ３０で色テーブル２１，２２，２３…から上記既定情報を読み出し、ステップＳ３５に進んで読み出した既定情報を表示させる。具体的には、図３に画像表示装置３０に表示される画面を例示するように、取得された色彩のコード番号３１及び各コード番号の色彩の既定のＣＭＹＫ値３２をリストアップして画面下部にまとめて表示させるとともに、このリスト上で選択された色彩、例えばコード番号Ｃ−００１ｐの色彩について、コード番号３１、既定のＣＭＹＫ値３２、色見本帳に表現された色彩３３、既定のＣＭＹＫ値でカラー印刷した場合の色彩３５を画面上部にカラーで詳細表示させる。なお図３では、上記の各情報を画面の左半分に表示し、画面の右半分に色テーブル２１に格納された色彩のコード番号３１及び色見本帳における色彩３３を一覧表示させた状態を示している。
【００２６】
ＲＩＰ部２０には、上記のようにコード番号によって特定される色彩を、インクジェットプリンタＰで用いるインクの混色によって表現可能な範囲で近似させた「近似色」の混色比率（近似色のＣＭＹＫ値）が設定記憶された色置換テーブル２５が設けられている。この色置換テーブル２５には、各コード番号に対応して、色見本帳に表わされた色彩に近似させた近似色のＣＭＹＫ値が予め設定記憶されている。すなわち、色置換テーブル２５は、色見本帳に表わされた色彩を、当該コード番号と、インクジェットプリンタＰにより表現可能な範囲で近似させた近似色の混色比率とについて、コンピュータのＲＯＭ内に対応づけて体系的に記憶させたデータセットとして形成されている。
【００２７】
ＣＰＵ２８は、ステップＳ２０でリストアップされたコード番号に対応する近似色の情報を、ステップＳ４０において色置換テーブル２５から読み出し、ステップＳ４５において図４に示すように、リストアップされたコード番号３１について既定のＣＭＹＫ値（入力値）３２と対比して近似色のＣＭＹＫ値（出力値）３６を表示させる。また、リスト上で選択されたコード番号、例えば上記Ｃ−００１ｐの色彩について、近似色のＣＭＹＫ値３６、近似色のＣＭＹＫ値に置き換えてカラー印刷した場合に印刷媒体Ｍ上に表現されると想定される色彩３７を、画面上部にカラーで詳細表示させる。なお図４では、画面の右半分に色テーブル２１に格納された各コード番号に対応する色見本帳における色彩３３と、色置換テーブル２５に格納された各コード番号に対応する近似色の色彩３７とを上下に対比して表示させた状態を示している。
【００２８】
これにより、描画データＤDから取得された色彩、例えばコード番号Ｃ−００１ｐの色彩について、色見本帳に表現された色彩３３と、既定のＣＭＹＫ値３２のままインクジェットプリンタＰでカラー印刷した場合の色彩３５、近似色のＣＭＹＫ値３６に置き換えてカラー印刷した場合の色彩３７を、実際にテストプリントして色見本帳と見比べるまでもなく、画面上で対比して確認することができる。
【００２９】
そしてステップＳ６０に進み、ＣＰＵ２８は、コード番号により特定された色の混色比率を、色テーブル２１，２２，２３…に記憶された既定の混色比率から、色置換テーブル２５に設定記憶された近似色の混色比率に置き換える色置換処理を実行する。これにより、既定のＣＭＹＫ値が近似色のＣＭＹＫ値に置き換えられる。そして、ステップＳ７０において、ラスターイメージ変換処理によりインクジェットプリンタＰの作動制御に好適なビットマップ形式の印刷データＤPに変換され、ステップＳ８０に進んで出力部４０から出力される。
【００３０】
なお、ステップＳ４０とステップＳ６０との間に、ステップＳ５０として色置換を実行するか否かの判断ステップを設け、画面上にリストアップされた各コード番号の色彩について、近似色の混色比率に色置換を行うか、または色置換を行うことなく既定の混色比率のままとするかを確認するように構成することができ、この判断ステップにおいて、必要に応じてＣＭＹＫ値の微調整及びコード番号の部分選択を行えるように構成してもよい。
【００３１】
ところで、色見本帳に規定された色彩の中には、印刷における基本４色（Ｃ，Ｍ，Ｙ，Ｋ）のプロセスカラーでは正確に再現することが困難な「特色」あるいはスポットカラーと称される色彩が存在する。このような「特色」について、色見本帳では、プロセスカラーで色再現が難しい色であることを表記したうえでＣＭＹＫ値を規定している。そのため、描画データＤDにおいて、ある領域の色彩が特色で指定されている場合、その色彩に近づける色合わせはプリント会社にとって特に時間と労力を要する問題であった。
【００３２】
描画データ処理装置１では、このような特色についても色テーブル２１，２２，２３…及び色置換テーブル２５に、各特色のコード番号に対応した既定の混色比率、及び色見本帳に表現された色彩に近似させた近似色の混色比率が設定記憶されている（図３及び図４において、コード番号にアスタリスク＊が付与された色彩が該当する）。従って、プロセスカラーのみならず特色についても、インクジェットプリンタＰによって表現可能な近似色の混色比率に簡単に置換して印刷データＤPを作成することができる。さらに、インクジェットプリンタの多くはＣＭＹＫの基本４色にライトシアン（Ｌｃ）やライトマゼンタ（Ｌｍ）を加えた６色のインクを使用可能に構成され、ブルーやオレンジなどを使用可能に構成されたものもある。出力対象がこのようなインクジェットプリンタの場合には、既定のＣＭＹＫ値に対して、ＬｃやＬｍ等を加えた混色比率の置換テーブルが設けられ、色見本帳に表現された色彩にさらに近似させた混色比率が設定記憶されている。
【００３３】
また、図４に示すように、コード番号で指定された色彩が特色に該当する場合に、色見本帳に表現された色彩と混色比率を置換した近似色との色差３８が表示されるように構成されており、色彩がどの程度異なるかを定量的に把握可能になっている。
【００３４】
このため、色見本帳に表現された色彩とインクジェットプリンタＰの使用するインク及び印刷媒体の相違、すなわち、色彩を表現するデバイスの相違に起因して生じる誤差を補正する機能のみならず、インクジェットプリンタＰによる印刷において可能な範囲で、デザイナーが意図したイメージに近似させた製品をカラー印刷することができる。
【００３５】
以上では、インクジェットプリンタの機種やインクの種別、色数等について、初期設定画面において選択された、一つの組み合わせの場合について説明したが、他の組み合わせの場合についても同様である。色置換テーブル２５は、発色特性が異なるインクについて、発色特性が共通するインクのグループに分類して複数設けられており、設定画面で選択されたインクに応じた色置換テーブル２５がＣＰＵ２８により選択されて、混色比率の置換が実行される。
【００３６】
従って、以上説明したような描画データ処理方法、この描画データ処理方法を実現する描画データ処理プログラムＰＧ及び描画データ処理装置１によれば、色見本帳の色彩に近い近似色の混色比率を探し出す作業労力を削減し、色見本帳のコード番号により特定された色彩を、インクジェットプリンタで表現可能な色彩に近似させて、作業負担を軽減することができる。
【図面の簡単な説明】
【００３７】
【図１】本発明に係るインクジェットプリンタ用の描画データ処理装置の概要構成を示すブロック図である。
【図２】本発明に係るインクジェットプリンタ用の描画データ処理プログラムの概要構成を示すフローチャートである。
【図３】描画データの処理過程（入力段階）において画像表示装置に表示される画面を例示する説明図である。
【図４】描画データの処理過程（出力段階）において画像表示装置に表示される画面を例示する説明図である。
【符号の説明】
【００３８】
Ｍ  印刷媒体
Ｐ  インクジェットプリンタ
ＤD  描画データ
ＤP  印刷データ
ＰＧ  インクジェットプリンタ用の描画データ処理プログラム
１  インクジェットプリンタ用の描画データ処理装置
１０  入力部
２０  ＲＩＰ部（ラスターイメージ生成手段）
２１，２２，２３…  色テーブル（規定比率記憶手段）
２５  色置換テーブル（置換比率記憶手段）
２８  ＣＰＵ
３０  画像表示装置
４０  出力部
【図１】
0004959517.tif 000002
【図２】
0004959517.tif 000003
【図３】
0004959517.tif 000004
【図４】
0004959517.tif 000005